(57)【特許請求の範囲】
【請求項１】
非リアルタイムファイルエリアとリアルタイムファイルエリアとからなる情報エリアを有し、
前記非リアルタイムファイルエリアには、前記記録媒体全体に関する情報と前記複数のリアルタイムファイルの各々の前記記録媒体内における位置を示すアクセス情報とが記録され、
前記リアルタイムファイルエリアは複数のリアルタイムファイルを含み、前記複数のリアルタイムファイル各々は、その先頭部分に当該ファイルに対応する外部機器を設定する制御情報を記録する制御情報エリアと、音声データ及びリアルタイムデータの時分割多重記録エリアとからなる記録媒体を再生する再生装置であって、
前記記録媒体から情報を読み取る読取手段と、
前記読取手段による読取情報から前記非リアルタイムファイルエリア内の前記アクセス情報と、前記リアルタイムファイルの先頭部分内の制御情報とを抽出する抽出手段と、
前記抽出手段によって抽出された前記アクセス情報に基づき前記読取手段による読取情報から前記音声データ及び前記リアルタイムデータを再生し、前記抽出手段によって抽出された制御情報に基づき外部機器を制御する再生手段と、を備えたことを特徴とする再生装置。
【請求項２】
前記複数のリアルタイムファイル各々は、１リアルタイムコンテンツに対応することを特徴とする請求項１記載の再生装置。
【請求項３】
前記非リアルタイムファイルエリアには、更に、文字情報が記録されていることを特徴とする請求項１又は２記載の再生装置。
【請求項４】
前記複数のリアルタイムファイル各々の時分割多重記録エリアには前記音声データ及び前記リアルタイムデータの他に画像データが備えられ、
前記再生手段は、前記抽出手段によって抽出された前記アクセス情報に基づいて、前記読取手段による読取情報から前記音声データと前記リアルタイムデータと共に前記画像データを各々再生することを特徴とする請求項１記載の再生装置。
【請求項５】
非リアルタイムファイルエリアとリアルタイムファイルエリアとからなる情報エリアを有し、
前記非リアルタイムファイルエリアには、前記記録媒体全体に関する情報と前記複数のリアルタイムファイル各々の前記記録媒体内における位置を示すアクセス情報とが記録され、
前記リアルタイムファイルエリアは複数のリアルタイムファイルを含み、前記複数のリアルタイムファイル各々は、その先頭部分に当該ファイルに対応する外部機器を設定する制御情報を記録する制御情報エリアと、音声データ及びリアルタイムデータの時分割多重記録エリアとからなる記録媒体を再生する再生方法であって、
前記記録媒体から情報を読み取る読取行程と、
前記読取行程の読取情報から前記非リアルタイムファイルエリア内の前記アクセス情報と、前記リアルタイムファイルの先頭部分内の制御情報とを抽出する抽出行程と、
前記抽出行程にて抽出された前記アクセス情報に基づき前記読取行程の読取情報から前記音声データ及び前記リアルタイムデータを再生し、前記抽出行程にて抽出された制御情報に基づき外部機器を制御する再生行程と、を備えたことを特徴とする再生方法。
【請求項６】
前記複数のリアルタイムファイル各々は、１リアルタイムコンテンツに対応することを特徴とする請求項５記載の再生方法。
【請求項７】
前記非リアルタイムファイルエリアには、更に、文字情報が記録されていることを特徴とする請求項５又は６記載の再生方法。
【請求項８】
前記複数のリアルタイムファイル各々の時分割多重記録エリアには前記音声データ及び前記リアルタイムデータの他に画像データが備えられ、
前記再生行程は、前記抽出行程にて抽出された前記アクセス情報に基づいて、前記読取手段による読取情報から前記音声データと前記リアルタイムデータと共に前記画像データを各々再生することを特徴とする請求項５記載の再生方法。
【発明の詳細な説明】
【０００１】
【産業上の利用分野】
本発明は、記録媒体を再生する再生装置及び方法に関する。
【０００２】
【従来の技術】
従来のカラオケ再生装置においては、記録媒体の演奏によって得られたカラオケ演奏音に対応して照明装置、背景映像装置等の外部機器をリアルタイム制御することが行なわれている。この場合、記録媒体には演奏音と共にリアルタイムデータが記録されている。演奏時には演奏音と共にリアルタイムデータが記録媒体から読み出され、読み出されたリアルタイムデータに応じて例えば、照明装置の場合、照明の色や照度が変化し、背景映像装置の場合、ディスプレイに表示される演奏曲の歌詞映像の背景映像が演奏曲の内容に応じたものとなる。
【０００３】
【発明が解決しようとする課題】
かかる従来の再生装置においては、記録媒体からの演奏音の再生に従って映像装置等の外部機器に対する適切なリアルタイム制御が望まれていた。
そこで、本発明の目的は、例えば、外部機器を適切にリアルタイム制御することができる記録媒体再生装置及び方法を提供することである。
【０００４】
【課題を解決するための手段】
本発明の再生装置は、非リアルタイムファイルエリアとリアルタイムファイルエリアとからなる情報エリアを有し、前記非リアルタイムファイルエリアには、前記記録媒体全体に関する情報と前記複数のリアルタイムファイルの各々の前記記録媒体内における位置を示すアクセス情報とが記録され、前記リアルタイムファイルエリアは複数のリアルタイムファイルを含み、前記複数のリアルタイムファイル各々は、その先頭部分に当該ファイルに対応する外部機器を設定する制御情報を記録する制御情報エリアと、音声データ及びリアルタイムデータの時分割多重記録エリアとからなる記録媒体を再生する再生装置であって、前記記録媒体から情報を読み取る読取手段と、前記読取手段による読取情報から前記非リアルタイムファイルエリア内の前記アクセス情報と、前記リアルタイムファイルの先頭部分内の制御情報とを抽出する抽出手段と、前記抽出手段によって抽出された前記アクセス情報に基づき前記読取手段による読取情報から前記音声データ及び前記リアルタイムデータを再生し、前記抽出手段によって抽出された制御情報に基づき外部機器を制御する再生手段と、を備えたことを特徴としている。
【０００５】
本発明の再生方法は、非リアルタイムファイルエリアとリアルタイムファイルエリアとからなる情報エリアを有し、前記非リアルタイムファイルエリアには、前記記録媒体全体に関する情報と前記複数のリアルタイムファイル各々の前記記録媒体内における位置を示すアクセス情報とが記録され、前記リアルタイムファイルエリアは複数のリアルタイムファイルを含み、前記複数のリアルタイムファイル各々は、その先頭部分に当該ファイルに対応する外部機器を設定する制御情報を記録する制御情報エリアと、音声データ及びリアルタイムデータの時分割多重記録エリアとからなる記録媒体を再生する再生方法であって、前記記録媒体から情報を読み取る読取行程と、前記読取行程の読取情報から前記非リアルタイムファイルエリア内の前記アクセス情報と、前記リアルタイムファイルの先頭部分内の制御情報とを抽出する抽出行程と、前記抽出行程にて抽出された前記アクセス情報に基づき前記読取行程の読取情報から前記音声データ及び前記リアルタイムデータを再生し、前記抽出行程にて抽出された制御情報に基づき外部機器を制御する再生行程と、を備えたことを特徴としている。
【０００６】
【実施例】
以下、本発明の実施例を図面を参照しつつ詳細に説明する。図１に示したカラオケ再生装置においては、オートチェンジャー１にはディスク収納部２、ディスク搬送部３及びプレーヤ部４が設けられている。ディスク収納部２には複数のディスク５が収納され、ディスク演奏の際にはその複数のディスク５のうちの１つのディスクが搬送部３によってプレーヤ部４のターンテーブル（図示せず）上に搬送され、演奏が終了するとターンテーブル上のディスクが搬送部３によってディスク収納部２の所定の位置まで戻される。プレーヤ部４はターンテーブル上のディスクを演奏して読取データを出力する。ディスク搬送部３及びプレーヤ部４は後述するシステムコントローラ７からの指令に応じて動作する。
【０００７】
プレーヤ部４のデータ出力にはデータ分離回路６が接続されている。データ分離回路６はプレーヤ部４から出力されたデータを圧縮画像データ、圧縮音声データ、リアルタイムデータ、制御データ、情報データ等の各種データに分離して個別の出力端から出力する。データ分離回路６には上記したシステムコントローラ７の他にオーディオデコーダ８及びビデオデコーダ９が接続されている。また、データ分離回路６には外部機器を接続するための端子が設けられている。本装置においては外部機器としては照明装置２５、ビデオカメラと記録媒体演奏装置とを含む背景映像装置２６及びＤＳＰ（Digital Signal Processor）からなる音声処理装置２７が設けられ、これらはカラオケ演出用の装置である。照明装置２５はいわゆるカラオケルーム内の照明を制御するものである。背景映像装置２６はディスプレイ２２に表示される歌詞等の文字情報の背景映像として例えば、ビデオカメラを用いた歌唱者等の撮影映像の他、記録媒体演奏装置の演奏動作により曲のイメージ、曲のシチュエーション、曲の場所又は曲の季節に応じた映像を映し出すためのものであり、背景映像を示す背景映像信号を発生する。音声処理装置２７はカラオケ音又は歌唱音によるカラオケルーム内の音場を制御するための装置であり、後述するように音声再生系に配設されている。
【０００８】
このデータ分離回路６と照明装置２５、背景映像装置２６及び音声処理装置２７との間にはリアルタイムデータをデータ変換する機能を有する外部機器制御インターフェース３０〜３２が設けられている。インターフェース３０〜３２は例えば、マイクロコンピュータから構成され、更に変換テーブルが一部に予め書き込まれた内部メモリ（図示せず）を有している。この変換テーブルは接続される外部機器に応じて異なるものである。
【０００９】
オーディオデコーダ８は分離された圧縮音声データをデコードしてＰＣＭディジタルデータ等の非圧縮の音声データとして復元する。圧縮音声データには複数チャンネルの音声データが圧縮されているので、システムコントローラ７からの信号に応じて指定されたチャンネルの音声データが復元される。オーディオデコーダ８から出力された音声データはＤ／Ａ変換器１１に供給されてアナログ音声信号に変換され、そのアナログ音声信号は上記の音声処理装置２７、そしてアンプ１８を介してスピーカ１９に供給されるようになっている。音声処理装置２７には別に歌唱用のマイクロホン２８の出力信号がアンプ２９を介して供給される。
【００１０】
ビデオデコーダ９は分離された圧縮画像データをデコードして非圧縮の画像データとして復元する。ビデオデコーダ９から出力された画像データはＤ／Ａ変換器１２に供給されてアナログ動画映像信号に変換されるようになっている。この動画映像信号はこのままスルー出力となる他、画像合成器２１に供給される。システムコントローラ７はマイクロコンピュータからなり、分離された情報データを受け入れる。情報データはＲＡＭ（ランダムアクセスメモリ）１３に記憶され、またＲＡＭ１３から選択的に読み出される。読み出された情報データはシステムコントローラ７内で処理されたり、表示文字制御回路２０に供給される。表示文字制御回路２０はキャラクタジェネレータ及びＶ−ＲＡＭを有し、情報データに応じた表示文字データを生成しそれをＶ−ＲＡＭに書き込み、上記の動画映像信号の同期信号に同期してＶ−ＲＡＭから表示文字データを読み出しそれを文字映像信号に変換して画像合成器２１に出力する。その文字映像信号は画像合成器２１においてＤ／Ａ変換器１２からの動画映像信号又は背景映像装置２６からの背景映像信号に合成される。
【００１１】
システムコントローラ７には操作部１５、録音装置１６及びプリンタ１７が接続されている。操作部１５は演奏曲を指定するためのキーボードを有する他、リモコン送信器２３からの演奏曲指定を受け入れる受信部（図示せず）を有している。録音装置１６はカラオケの演奏音及び歌唱音をＣＤ−Ｒ等の録音可能なコンパクトディスク（図示せず）に録音するためのものである。演奏音及び歌唱音を示す音声信号はアンプ１８から録音装置１６に供給される。プリンタ１７はコンパクトディスクに貼付するようにされたラベルに曲名等の録音曲情報を印刷するためのものである。
【００１２】
次に、プレーヤ部４で演奏されるディスク５の記録内容について説明する。ディスク５には全ての情報がディジタル信号で記録されており、図２に示すように、ディスク５各々の情報記録エリアは非リアルタイムファイルエリアとリアルタイムファイルエリアを有している。非リアルタイムファイルエリアにＴＯＣ等のアクセス情報ファイルと曲名等のカラオケ情報ファイルとが記録されている。リアルタイムファイルエリアにはＮ（Ｎは整数で曲数に相当する）個のリアルタイムファイルが例えば、ＭＰＥＧ（Moving Picture Expert Group ）規格で記録されている。リアルタイムファイル各々はチャプターという単位で呼ばれ、１チャプターが１曲に相当する。１チャプターのリアルタイムファイルは１つの曲の圧縮画像データ及び圧縮音声データと、外部機器制御のためのリアルタイムデータとからなり、これらのデータがファイル内で時分割多重記録されている。リアルタイムデータは曲の盛り上がり程度を１６段階で示し、かつその開始時間と長さを時間単位（例えば、フレーム単位）で示している。
【００１３】
アクセス情報ファイルは、各チャプターのディスク内における位置や時間的長さを示す情報等からなり、この情報を参照することにより任意のチャプターにアクセス可能となる。カラオケ情報ファイルはディスク及び曲に関する種々の情報からなり、その構造を図３に示す。カラオケ情報ファイルはディスク関連情報と１つ以上のチャプター情報とからなる。１つのチャプター情報は１つのチャプターすなわち曲の関連情報を表し、チャプター情報数は曲数と一致する。ディスク関連情報はそのディスク全体に関する情報であり、例えば、ディスク内容、ディスク自身の識別、そのディスクに記録された曲数等の情報である。
【００１４】
各チャプター情報はチャプター情報ヘッダ、チャプター内共通情報、テロップチャンネル別情報、言語別情報を含み、チャプター情報ヘッダはチャプター情報の識別情報や内容を示す情報等からなる。チャプター内共通情報は(1)曲の国籍、(2)曲の発表年月日、(3)曲の長さ、(4)著作権コード、(5)歌手分類、(6)曲のジャンル、(7)曲の主題イメージと曲テーマ、(8)曲のシチュエーション、(9)曲の特殊ジャンル、(10)曲のテンポ、(11)曲の場所イメージ、(12)曲の難易度、(13)マルチオーディオモード、(14)背景映像情報、(15)コントロール機器情報及び(16)ＤＳＰモード情報等からなる。
【００１５】
テロップチャンネル別情報は、そのチャプターに対応した文字情報（テロップ）に関する情報である。１つのチャプターに複数の文字情報系列（テロップチャンネル）を割り当てることが可能であり、例えば、１つのチャプターに選択可能な複数の異なる言語のテロップを付加することができる。テロップチャンネル別情報は(1)テロップチャンネル数、(2)テロップチャンネル番号、(3)テロップ言語及び(4)テロップの文字形態の各情報を含み、テロップチャンネル番号、テロップ言語及びテロップの文字形態の各情報がテロップチャンネル数だけ繰り返し記録される。
【００１６】
言語別情報は、そのチャプターに関する情報のうち言語に依存する情報であり、(1)言語別情報数、(2)言語コード、(3)記述コード体系、(4)言語別情報サイズ、(5)曲名、(6)曲名の読み、(7)歌手名、(8)歌手名の読み、(9)作詞者名、(10)作詞者名の読み、(11)作曲者名、(12)作曲者名の読み、(13)最初のフレーズ、(14)最初のフレーズの読み及び(15)ロケ地データ等の情報からなる。(2)言語コードから(15)ロケ地データまでの情報が言語別情報数だけ繰り返し記録される。
【００１７】
次に、上記したカラオケ再生装置の動作について説明する。オートチェンジャー１のディスク収納部２にディスクが新たに収納される場合には先ず、インストール動作が行なわれる。このインストール動作において、システムコントローラ７は、図４に示すように新たなディスクがディスク収納部２に収納され、それを検出すると（ステップＳ１）、そのディスクをプレーヤ部４のターンテーブルに装着させるべくディスク搬送部３に対しディスクセット指令を発生する（ステップＳ２）。ディスク搬送部３がディスクをプレーヤ部４のターンテーブルに装着させ終わると、それがシステムコントローラ７に装着終了信号として供給される。よって、システムコントローラ７は装着終了信号を得ると（ステップＳ３）、プレーヤ部４に対してディスクの回転駆動を指令し（ステップＳ４）、データの読み取りを指令する（ステップＳ５）。プレーヤ部４はターンテーブルと共にディスクを回転させ、その回転が所定の回転速度に達した後、ディスクの非リアルタイムファイルエリアからデータを読み取って出力する。読み取られたデータはデータ分離回路６を介してシステムコントローラ７に供給され、システムコントローラ７内のバッファメモリ（図示せず）に一旦格納される。
【００１８】
システムコントローラ７は供給されたデータを外部のＲＡＭ１３に順次書き込み（ステップＳ６）、プレーヤ部４によるデータの読み取りが終了したか否かを判別する（ステップＳ７）。例えば、データ供給終了を示すビットが供給されてデータの読み取りが終了したことが分かるまではステップＳ６の実行により供給されたデータをＲＡＭ１３に書き込むことが行なわれる。データの読み取りが終了したならば、プレーヤ部４に対し動作停止指令を発生し（ステップＳ８）、ディスク搬送部３に対しディスクリターン指令を発生する（ステップＳ９）。よって、プレーヤ部４はターンテーブルの回転駆動を停止させ、その後、ディスク搬送部３はターンテーブル上のディスクをディスク収納部２のそのディスクの定められた収納位置まで搬送して収納する。システムコントローラ７はステップＳ９の実行後、他に新たなディスクの収納があったか否かを判別する（ステップＳ１０）。ディスク収納部２に他の新たなディスクの収納があるならば、ステップＳ２に移行し、他に新たなディスクの収納がないならば、インストール動作を終了する。
【００１９】
ＲＡＭ１３に書き込むデータとしては上記したアクセス情報ファイルとカラオケ情報ファイルの各データ全てでも良いが、全てのデータを記憶するだけ容量を有することは難しいので、少なくともディスク固有のディスク番号、そのディスクのディスク収納部２の収納位置を示すアドレス、その曲のディスク内の位置、曲名、歌手名、作詞者名、作曲者名、曲の長さ、著作権コード等の曲データだけである。
【００２０】
なお、新たなディスクの収納はユーザによる操作部１５からの入力により得ることができる。また、ディスク収納部２の各収納位置にディスクの有無を検出するセンサを設け、その検出結果を記憶する領域をＲＡＭ１３に備えておき、インストール動作毎に全てのセンサの検出出力とＲＡＭ１３の記憶内容とを比較し、新たなディスクの収納を判別すると共にＲＡＭ１３にその検出結果を書き込むようにしても良い。
【００２１】
更に、上記の実施例においては、曲名等の曲データを画像データ及び音声データと共に記録されたディスクのインストール時に得ているが、曲名等の曲データだけが記録された専用のディスクからディスクのインストール時に曲データを得ても良い。或いは、画像データ及び音声データが記録された複数のディスクの曲データをこれら複数のディスクのうちの１枚に記録するようにして、この１枚のディスクのインストール時にこれらの曲データを得るようにしても良い。
【００２２】
上記のようにインストール動作が行われた後においてはユーザが選択した曲についてのカラオケ再生が可能となる。先ず、選曲動作においては、ユーザが選曲番号を操作部１５又はリモコン送信器２３の数字キー又はアルファベットキーの操作により入力することになる。選曲番号は複数桁からなり、ディスクとそのディスク中に記録された曲を指定する番号であり、キー操作されると操作部１５内のバッファ（図示せず）に保持される。図５に示すようにシステムコントローラ７は所定タイミングで又は割り込み動作で操作部１５の選曲キー（図示せず）が操作されたか否かを判別し（ステップＳ１１）、選曲キーが操作されたならば、上記のバッファから選曲番号を読み込みＲＡＭ１３の選曲リストテーブルに書き込む（ステップＳ１２）。選曲リストテーブルはＲＡＭ１３に形成され図６に示すように演奏順に選曲番号及び後述の録音フラグが書き込まれ、演奏が終了すると順番が繰り上がるようになっている。その読み込んだ選曲番号に対応する曲名をＲＡＭ１３から情報データとして読み出し（ステップＳ１３）、その読み出しデータを表示文字制御回路２０に供給する（ステップＳ１４）。表示文字制御回路２０においては曲名を示す表示文字データが生成されてＶ−ＲＡＭの所定の位置に書き込まれる。Ｖ−ＲＡＭから表示文字データが読み出されて文字映像信号に変換された後、画像合成器２１に出力される。その文字映像信号は画像合成器２１において所定の色を示す信号のときＤ／Ａ変換器１２からの動画映像信号に代わって出力されることにより動画映像信号に合成される。よって、ディスプレイ２２には曲名が文字映像として表示されてキー操作された選曲の受付が行われたことが確認されるのである。
【００２３】
システムコントローラ７はステップＳ１４の実行後、読み込んだ選曲番号に対応する著作権コードをＲＡＭ１３から読み出す（ステップＳ１５）。ＲＡＭ１３にはインストール動作時にディスクから読み取って書き込まれたデータ中に著作権コードがあるので、それを読み出すのである。著作権コードは曲の著作権者を示すコードである。選択曲が読み出した著作権コードに基づいて録音可能な曲であるか否かを判別する（ステップＳ１６）。システムコントローラ７の外部に設けられたＲＯＭ（リードオンリメモリ）１４には図７に示すように著作権コード、著作権者及び録音可否が録音可否データテーブルとして予め書き込まれている。録音可否については“１”が録音可能で、“０”が録音不可である。よって、録音可否データテーブルから選択曲が録音可能な曲であるか否かが判別される。録音可能ならば録音可能表示をし（ステップＳ１７）、録音不可ならば録音不可表示をする（ステップＳ１８）。これら表示はディスプレイ２２にしても良いし、装置に設けられた録音可否のための表示器（図示せず）にしても良い。ディスプレイ２２に表示する場合にはシステムコントローラ７からの指令に応じて表示文字制御回路２０においては録音可能又は録音不可を示す表示文字データが生成されてＶ−ＲＡＭに書き込まれる。
【００２４】
システムコントローラ７は録音可能のためステップＳ１７を実行した後においては、録音予約があるか否かを判別する（ステップＳ１９）。これは操作部１５又はリモコン送信器２３の録音予約キーの操作があったか否かによって判別される。録音予約があった場合には上記の選曲リストテーブルの録音フラグをセットする（ステップＳ２０）。選曲リストテーブルには非録音を示す“０”が録音フラグの初期値として予め書き込まれているので、録音予約キーの操作があった場合には選曲番号に対応させて録音フラグを録音を示す“１”にするのである。
【００２５】
次に、ディスク演奏動作について説明する。システムコントローラ７は図８〜図１０に示すように、先ず操作部１５のキー操作により演奏の開始が指令されると（ステップＳ２１）、ＲＡＭ１３に形成された選曲リストテーブルの演奏順の１番目から選曲番号及び録音フラグを読み出す（ステップＳ２２）。読み出した選曲番号に対応するディスクアドレス及び曲番をＲＡＭ１３から読み出し（ステップＳ２３）、読み出したディスクアドレスのディスクをプレーヤ部４のターンテーブルに装着させるべくディスク搬送部３に対しディスクセット指令を発生する（ステップＳ２４）。ディスク搬送部３がディスクをプレーヤ部４のターンテーブルに装着させ終わると、それがシステムコントローラ７に装着終了信号として供給される。よって、システムコントローラ７は装着終了信号を得ると（ステップＳ２５）、プレーヤ部４に対してディスクの回転駆動を指令し（ステップＳ２６）、ディスク演奏を開始して良いか否かを判別する（ステップＳ２７）。例えば、操作部１５のキー操作により演奏が禁止されている場合にはディスク演奏は開始されない。ディスク演奏を開始して良い場合には、データの読み取りを指令する（ステップＳ２８）。プレーヤ部４はディスクの非リアルタイムファイルエリアからデータを読み取って出力する。読み取られたデータはデータ分離回路６を介してシステムコントローラ７に供給され、システムコントローラ７内のバッファメモリ（図示せず）に一旦格納される。システムコントローラ７は供給されたデータからチャプター内共通情報のうちの読み出した曲番に関する上記の(14)背景映像情報、(15)コントロール機器情報及び(16)ＤＳＰモード情報を外部のＲＡＭ１３に順次書き込み（ステップＳ２９）、プレーヤ部４によるデータの読み取りが終了したか否かを判別する（ステップＳ３０）。
【００２６】
データの読み取りが終了したことが分かるまではステップＳ２９の実行により供給されたデータをＲＡＭ１３に書き込むことが行なわれる。データの読み取りが終了したならば、ＲＡＭ１３からコントロール機器情報を読み出し（ステップＳ３１）、各外部機器に供給する（ステップＳ３２）。コントロール機器情報は図１１に示すように１ビットが１外部機器に対応し、ビットの値が“１”のときそのビットに対応する外部機器が制御可能であることを示す。本装置においては外部機器として照明装置２５、背景映像装置２６及び音声処理装置２７が設けられているので、これら外部機器に対応する１ビットデータが供給される。よって、供給された１ビットデータが“１”のときにはその外部機器はリアルタイムデータに応じて制御可能なセット状態となる。
【００２７】
システムコントローラ７はステップＳ３２の実行後、ＲＡＭ１３から背景映像情報及びＤＳＰモード情報を読み出し（ステップＳ３３）、背景映像情報を背景映像装置２６に、またＤＳＰモード情報を音声処理装置２７に供給する（ステップＳ３４）。背景映像装置２６においては、供給された背景映像情報に応じて動作状態が設定される。すなわち、歌唱者等の撮影映像、又は曲のイメージ、曲のシチュエーション、曲の場所、曲の季節等の映像のうちのいずれの背景映像を示す背景映像信号を出力すべきか設定される。音声処理装置２７においては、ＤＳＰモード情報に応じてＤＳＰの処理プログラム及び音場制御のための残響時間や乗算係数等のデータが設定される。このデータは例えば、選択曲に適した値にセットされる。
【００２８】
かかる動作により、外部機器２５〜２７はリアルタイムデータに応じて動作可能な状態となるので、システムコントローラ７は次に、読み出した曲番のトラックからのディスク演奏を指令する（ステップＳ３５）。よって、プレーヤ部４が選曲番号で指定された曲の演奏を開始する。また、録音予約されているか否かを読み出した録音フラグから判別する（ステップＳ３６）。録音フラグが“１”にセットされている場合には録音開始指令を録音装置１６に対し発生する（ステップＳ３７）。録音装置１６にはアンプ１８から歌唱音を含む音声信号が供給されるので、録音開始指令に応じてコンパクトディスクへの録音が行なわれる。
【００２９】
システムコントローラ７はステップＳ３７の実行後、ステップＳ２２で読み出した選曲番号に対応する録音曲情報をＲＡＭ１３から読み出す（ステップＳ３８）。録音曲情報とは少なくも曲名、作詞者名及び作曲者名であり、歌唱者、録音日時及び場所等の情報を加えても良い。これらの録音曲情報を読み出した後、プリンタ１７に出力する（ステップＳ３９）。プリンタ１７はコンパクトディスクに貼付するようにされたラベルに録音曲情報を印刷する。これにより、録音されたコンパクトディスクのラベル面にそのラベルを貼付して置けば、録音された曲についての記録となる。
【００３０】
なお、実際にはプレーヤ部４の動作遅れによりステップＳ３９の実行後、指定された曲の演奏音は出力される。しかしながら、ステップＳ３６〜Ｓ３９の動作を先に行った後、読み出した曲番のトラックからのディスク演奏を指令しても良いことは勿論である。ディスク演奏においては、プレーヤ部４から出力されたデータがデータ分離回路６で分離され、圧縮画像データ及び圧縮音声データから再生された映像信号及び音声信号がディスプレイ２２及びスピーカ１９に出力される。また、データ分離回路６において分離されたリアルタイムデータは外部機器制御インターフェース３０〜３２に供給される。インターフェース３０〜３２各々は次のように同一の動作を繰り返し行なう。
【００３１】
図１２に示すように先ず、所定の単位のリアルタイムデータが受信されたか否かを判別する（ステップＳ５１）。所定の単位のリアルタイムデータが受信されたならば、それを内部メモリに書き込み（ステップＳ５２）、そのリアルタイムデータを上記した変換テーブルを用いてデータ変換する（ステップＳ５３）。そして、変換したリアルタイムデータを外部機器に出力する（ステップＳ５４）。すなわち、インターフェース３０の場合には照明装置２５に出力し、インターフェース３１の場合には背景映像装置２６に出力し、またインターフェース３２の場合には音声処理装置２７に出力する。インターフェース３０〜３２内の変換テーブルが互いに異なるので、外部機器２５〜２７に対し出力されるリアルタイムデータ各々は互いに異なった内容となる。
【００３２】
照明装置２５はステップＳ３２の動作時にコントロール機器情報のうちの供給された１ビットデータが“１”の場合には既にリアルタイムデータに応じて制御可能なセット状態となっているので、インターフェース３０から供給されたリアルタイムデータに応じて照明の照度や色彩が変化することになる。背景映像装置２６はステップＳ３２の動作時にコントロール機器情報のうちの供給された１ビットデータが“１”の場合にはステップＳ３４の動作により背景映像情報に応じて動作状態が設定されているので、インターフェース３１から供給されたリアルタイムデータに応じて背景映像の内容やその色彩が変化する。また、音声処理装置２７もステップＳ３２の動作時にコントロール機器情報のうちの供給された１ビットデータが“１”の場合にはステップＳ３４の動作によりＤＳＰモード情報に応じて音場制御状態が設定されているので、インターフェース３２から供給されたリアルタイムデータに応じて更に例えば、歌唱音の音程や音量が変化する。
【００３３】
なお、コントロール機器情報のうちの供給された１ビットデータが“０”の場合には照明装置２５、背景映像装置２６及び音声処理装置２７はそれ独自のプログラムに従って動作する。この場合には照明装置２５等は再生されたカラオケ演奏音に応じて動作しても良い。システムコントローラ７はステップＳ３９の実行後、選択曲の演奏が終了したか否かを判別する（ステップＳ４０）。これはディスク演奏によってデータ分離回路６から供給される制御データ中のタイム情報から判別される。選択曲の演奏が終了したならば、プレーヤ部４に対し演奏停止指令を発生し（ステップＳ４１）、ディスク搬送部３に対しディスクリターン指令を発生する（ステップＳ４２）。よって、プレーヤ部４はディスク演奏動作を停止し、ディスク搬送部３はターンテーブルの回転が停止した後、ターンテーブル上のディスクをディスク収納部２のそのディスクの定められた収納位置まで搬送して収納する。システムコントローラ７はディスクリターン指令の発生後、選曲リストテーブルの曲順を１曲分繰り上げ（ステップＳ４３）、選曲リストテーブルの１番目に選曲番号が記録されているか否かを判別する（ステップＳ４４）。選曲番号が記録されているならば、ステップＳ２２に戻り上記動作を繰り返す。一方、選曲番号が記録されていないならば、演奏動作を終了する。
【００３４】
なお、上記した実施例においては、ステップＳ２８のデータの読み取り指令に応じてプレーヤ部４はディスクの非リアルタイムファイルエリアからデータを読み取って出力するが、これに限らない。例えば、図１３に示すように各リアルタイムファイルエリアの各チャプター単位のファイルの先頭部分に制御情報エリアを設けているので、ここにそのチャプターの曲だけのチャプター内共通情報を記録して置いて、制御情報エリアから背景映像情報、コントロール機器情報及びＤＳＰモード情報を読み出しても良い。
【００３５】
また、上記した実施例においては、外部機器制御インターフェース３０〜３２はリアルタイムデータを変換テーブルに従って単にデータ変換するだけであるが、非リアルタイムファイルエリア又は上記のリアルタイムファイルエリアの制御情報エリアから読み取ったチャプター内共通情報のうちの曲のジャンル、テンポ、季節、曲のテーマ、シチュエーション、地域等の情報をシステムコントローラ７が外部機器制御インターフェース３０〜３２に供給し、外部機器制御インターフェース３０〜３２はリアルタイムデータを変換テーブルとシステムコントローラ７からの情報とによって変換しても良い。
【００３６】
選択曲について、例えば、曲のジャンルが演歌、テンポがスロー、季節が冬、曲のテーマが恋愛、シチュエーションが居酒屋、地域が東北であるとすると、外部機器制御インターフェース３０では先ず、照明装置２５のミラーボール（図示せず）の回転をゆっくりにし、照明を全体的に暗くし、背景エフェクトマシンを雪に設定するように制御し、その後、曲が始まるとその設定に従って照明装置２５が動作するが、曲の盛り上がる部分になるとリアルタイムデータに従って照明を明るくし、ミラーボールの回転を速くするように制御する。
【００３７】
また、本発明においては、複数の曲のカラオケ演奏音が少なくとも記録された記録媒体はディスクに限らず、テープ等の他の記録媒体でも良いことは明らかである。更に、本発明はＭＰＥＧ等によって画像圧縮された情報が記録された媒体を再生する場合について説明したが、これに限定されるものではなく、外部機器を制御するための制御情報が付加し得る媒体であれば同様の効果を奏することができる。
【００３８】
以上の如く、本発明によれば、例えば、演奏音の再生に従って変化する画像データ及びリアルタイムデータに応じて映像装置等の外部機器に対して適切なリアルタイム制御を行うことができる。
【図面の簡単な説明】
【図１】本発明の実施例を示すブロック図である。
【図２】ディスクの情報エリアの構成を示す図である。
【図３】カラオケ情報ファイルの構成を示す図である。
【図４】インストール動作を示すフロー図である。
【図５】選曲動作を示すフロー図である。
【図６】選曲リストテーブルを示す図である。
【図７】録音可否データテーブルを示す図である。
【図８】ディスク演奏動作を示すフロー図である。
【図９】図８のディスク演奏動作の続き部分を示すフロー図である。
【図１０】図９のディスク演奏動作の続き部分を示すフロー図である。
【図１１】コントロール機器情報の一例を示す図である。
【図１２】外部機器制御インターフェースの動作を示すフロー図である。
【図１３】リアルタイムファイルエリアの各チャプター単位のファイル構成を示す図である。
【主要部分の符号の説明】
１  オートチェンジャー
２  ディスク収納部
３  ディスク搬送部
４  プレーヤ部
５  ディスク
７  システムコントローラ
１６  録音装置
１７  プリンタ
２２  ディスプレイ
２３  リモコン送信器
２５  照明装置
２６  背景映像装置
２７  音声処理装置
３０〜３２  外部機器制御インターフェース
【図１】
0003999101.tif 000002
【図２】
0003999101.tif 000003
【図３】
0003999101.tif 000004
【図４】
0003999101.tif 000005
【図５】
0003999101.tif 000006
【図６】
0003999101.tif 000007
【図７】
0003999101.tif 000008
【図８】
0003999101.tif 000009
【図９】
0003999101.tif 000010
【図１０】
0003999101.tif 000011
【図１１】
0003999101.tif 000012
【図１２】
0003999101.tif 000013
【図１３】
0003999101.tif 000014